(57)【要約】【課題】洗浄効果が強く、膜及び人体への悪影響がない水処理用透過膜の洗浄剤と洗浄方法を提供する。【解決手段】水処理用透過膜の洗浄に用いられる膜洗浄剤であって、Ｌ−システイン塩酸塩、その水和物及びこれらの誘導体からなる群から選択される少なくとも一種類を含むことを特徴とする膜洗浄剤としたものであり、また、無機物によって汚染された水処理用透過膜を前記膜洗浄剤を用いて洗浄する膜洗浄方法としたものであり、前記膜洗浄剤は、０．０２〜０．２重量％の範囲で使用するのがよい。【選択図】  なし【特許請求の範囲】
【請求項１】
水処理用透過膜の洗浄に用いられる膜洗浄剤であって、Ｌ−システイン塩酸塩、その水和物及びこれらの誘導体からなる群から選択される少なくとも一種類を含むことを特徴とする膜洗浄剤。
【請求項２】
無機物によって汚染された水処理用透過膜を、請求項１記載の膜洗浄剤を用いて洗浄することを特徴とする膜洗浄方法。
【発明の詳細な説明】
【０００１】
【発明の属する技術分野】
本発明は、膜洗浄剤に係り、特に、水処理用透過膜の薬品洗浄に使用する膜洗浄剤と洗浄方法に関する。
【０００２】
【従来の技術】
【特許文献１】特開平１１−１９４９０号公報
近年、浄水処理や下排水処理において、分離膜を用いたプロセスが急速に普及しつつある。特に、浄水処理においては、精密ろ過膜や限外ろ過膜を凝集沈殿砂ろ過の代替プロセスとして、下排水処理では、生物処理の固液分離への適用が盛んである。
どのような膜ろ過装置でも、ある程度の時間、処理を継続すると、原水に含まれる有機物や無機物が次第に膜表面や膜細孔内に付着する膜汚染が生じ、膜の透水性能が低下する。膜汚染が進行し、膜の透水性能が実用的なレベル以下に達した時、薬品洗浄を行い、膜の透水性能を回復させる。
一般に、有機性の汚染物質を洗浄する場合には、次亜塩素酸ナトリウムや水酸化ナトリウムを使用する。
また、鉄、マンガンなどの無機物による汚染には、シュウ酸、クエン酸などの有機酸、塩酸、硫酸、硝酸などの無機酸、又は、それらの混合物などで洗浄を行う。
【０００３】
上記したように、鉄、マンガンなどの金属酸化物に汚染された膜の洗浄には酸洗浄が行われる。しかし、塩酸や硫酸などの無機酸は、低濃度では効果ないこと、加温が必要なこと、洗浄時間が長くなるなどの問題がある。また、高濃度での使用では、ある程度効果が高まるものの、それ自身の強い刺激臭、膜材料へ悪影響があるなどの問題がある。
シュウ酸やクエン酸などの有機酸は、無機酸よりも洗浄効果はあるが、シュウ酸は人体に対して毒性があるため、特に、浄水処理への使用には抵抗が持たれている。クエン酸は毒性はないものの、シュウ酸よりも洗浄効果が小さく、数％以上の高濃度で使用したり、加温の必要、洗浄時間の長期化などの問題がある。
【０００４】
【発明が解決しようとする課題】
本発明は、上記従来技術の問題点を解決し、洗浄効果が強く、膜及び人体への悪影響がない水処理用透過膜の洗浄剤と洗浄方法を提供することを課題とする。
【０００５】
【課題を解決するための手段】
上記課題を解決するために、本発明では、水処理用透過膜の洗浄に用いられる膜洗浄剤であって、Ｌ−システイン塩酸塩、その水和物及びこれらの誘導体からなる群から選択される少なくとも一種類を含むことを特徴とする膜洗浄剤としたものである。
また、本発明では、前記膜洗浄剤を、無機物によって汚染されたも水処理用透過膜の洗浄に用いる膜洗浄方法としたものである。
【０００６】
【発明の実施の形態】
本発明者は、鋭意研究を重ねたところ、膜の洗浄に用いられる膜洗浄剤であって、Ｌ−システイン塩酸塩、その水和物及びこれらの誘導体からなる群がら選択される少なくとも一種類を含んだ膜洗浄剤を用いることにより膜の洗浄が容易に行えることを見出し、本発明に至った。
例えば、膜に付着する代表的な無機汚染物質にマンガンがある。膜では、二酸化マンガンの状態で付着しており、膜から洗浄除去するということは、これを分解し、２価のマンガンイオンにして水に溶解することである。この反応を表記すると、次のようになる。
ＭｎＯ２＋４Ｈ＋＋４ｅ−→Ｍｎ２＋＋２Ｈ２Ｏ
上記式を見てわかるように、二酸化マンガンをマンガンイオンにするためには、水素イオンと電子が必要であり、反応を速やかに進めるためには、洗浄液のｐＨを酸性側にして、還元雰囲気を作る必要がある。
【０００７】
Ｌ−システイン塩酸塩は、特異な還元性を示す含硫アミノ酸であるＬ−システインの塩酸塩であり、塩酸塩であるため、その水溶液は酸性溶液となる。従って、Ｌ−システイン塩酸塩は、それ単独で塩酸酸性を示す還元剤として機能するので、マンガンなどの金属酸化物の洗浄に対し良好な洗浄剤となる。また、粉末状の塩酸塩であるため、異臭などもなく無機酸よりも取扱いが容易である。
Ｌ−システイン塩酸塩の水和物であるＬ−システイン塩酸塩一水和物が、食品添加物として使用されており、入手が容易であるので、本発明においてはこれを使用することが好ましいが、他のシステインを含む化合物及び誘導体を使用してもよい。例えば、Ｄ−システイン塩酸塩一水和物、ＤＬ−システイン塩酸塩一水和物、Ｌ−システインメチルエステル塩酸塩などがある。
【０００８】
本発明の洗浄剤は、鉄、マンガンなどの金属酸化物を含む無機物の洗浄に使用することができ、薬品の安全性から、特に、浄水処理の膜の洗浄には好ましい。洗浄を行う時の種々の条件、例えば、薬剤の濃度、洗浄温度、洗浄時間などは洗浄する膜の汚染状態に応じて、作業者が適宜決定すればよいが、０．０２〜０．２重量％の範囲が好ましい。これは、０．０２％以下の濃度では薬品の濃度が薄いため効果が低く、０．２重量％より大きくしても効果の向上が少なくなるためである。
本発明の膜洗浄剤を含有する洗浄液においては、それぞれの洗浄液において、他に洗浄を促進するものを含ませてもよい。
本発明は、透過膜の種類に限定されるものではないが、例としては、精密ろ過膜、限外ろ過膜、ナノろ過膜、逆浸透膜などが含まれる。また、ダイナミックろ過に使用する不織布、織布などのろ過体やろ過支持体でもよい。また、膜の形態、形状に限定されず、例えば、平膜、中空糸膜、管状膜、スパイラル膜でよい。
【０００９】
膜の材質にも限定されるものではなく、例としては、ポリオレフィン、ポリスルフォン、ポリアクリルニトリル、ポリビニルアルコール、セルロース系、フッ素系ポリマー、セラミックなどが含まれる。
本発明は、膜と洗浄液の接触中に、他の物理的洗浄方法を加えてもよい。例えば、超音波洗浄、スポンジによる洗浄が含まれる。また、エアーバブリングを使用してもいいが、使用するガスは、窒素、アルゴン、ヘリウムなどの洗浄剤と反応しない不活性ガスが好ましい。
【００１０】
【実施例】
以下に、本発明を実施例により具体的に説明する。
実施例１
伏流水を原水として、実際の浄水処理に使用した中空糸膜モジュール（公称孔径：０．１μｍ、材質：ポリエチレン）を薬品洗浄した。膜ろ過装置の形式は、槽浸漬型吸引ろ過方式であり、物理洗浄にはエアースクラビング洗浄を使用していた。薬品洗浄は、膜モジュールを膜ろ過装置から取り外して行うオフライン洗浄で行った。取り外した膜モジュールは、水道水の水流で洗浄した後に薬品洗浄に供した。洗浄前の膜は褐色に着色していたことから、明らかに鉄、マンガンなどの汚染物質が付着していた。
洗浄には、０．１重量％Ｌ−システイン塩酸塩一水和物を使用し、洗浄時間は６０分、洗浄温度は２０℃とした。
洗浄後の清水透水性能は次のとおりであった。
膜の透水性能（ｍ／ｄａｙ／ｍ−Ａｑ  ａｔ２０℃）
使用前              １．５０
洗浄前              １．０５
洗浄後              １．４９
【００１１】
実施例２
実施例１の汚染膜を、０．０２５重量％Ｌ−システイン塩酸塩一水和物を使用し、洗浄時間６０分、洗浄温度２０℃で洗浄した。洗浄後の清水透水性能は次のとおりであった。
膜の透水性能（ｍ／ｄａｙ／ｍ−Ａｑ  ａｔ２０℃）
使用前              １．５０
洗浄前              １．０５
洗浄後              １．４８
【００１２】
比較例１
実施例１の汚染膜を、１重量％クエン酸を使用し、洗浄時間６０分、洗浄温度２０℃で洗浄した。洗浄後の清水透水性能は次のとおりであった。
膜の透水性能（ｍ／ｄａｙ／ｍ−Ａｑ  ａｔ２０℃）
使用前              １．５０
洗浄前              １．０５
洗浄後              １．０５
【００１３】
比較例２
実施例１の汚染膜を、１０重量％クエン酸を使用し、洗浄時間６０分、洗浄温度２０℃で洗浄した。洗浄後の清水透水性能は次のとおりであった。
膜の透水性能（ｍ／ｄａｙ／ｍ−Ａｑ  ａｔ２０℃）
使用前              １．５０
洗浄前              １．０５
洗浄後              １．１５
【００１４】
【発明の効果】
Ｌ−システイン塩酸塩、その水和物及びこれらの誘導体からなる群がら選択される少なくとも一種類を含む膜洗浄剤を使用することにより、鉄、マンガンなどの金属酸化物によって閉塞した膜の洗浄を従来使用されてきた有機酸よりも効果的に洗浄できる。特に、浄水処理に使用する膜の洗浄については、より安全な洗浄が可能となる。